(57)【要約】封止構造体３０は、デッキ１００及び垂設側壁４０と、該デッキ１００を貫通する小出し口１０８とを有する封止体本体３６を含む。封止体キャップ３７は、封止体本体３６にヒンジ７６を介して取付けられた蓋部分３８と、ヒンジ７６とは反対側で蓋部分３８に破断可能に結合されたカバー部分３９とを有する。蓋部分３８は、ヒンジ７６とカバー部分３９との間に位置する側部で封止体本体３６に掛止されている。カバー部分３９は、蓋部分３８から突出する持上げリップ２２２を覆っている。カバー部分３９を除去すると、蓋部分３８を開けるために封止体本体３６から使用者が持上げる持上げリップ２２２が露出する。
2004518590.tif 000002
【特許請求の範囲】
【請求項１】
デッキを有するとともに、該デッキを貫通する小出し口を有する封止体本体と、
前記封止体本体に取付けられ、壊れ易い構造部分により互いに結合された蓋部分とカバー部分とを有する封止体キャップとを含む封止構造体において、
前記蓋部分が、前記封止体本体に掛止され、閉位置では前記小出し口を覆い、前記蓋部分が開位置へ移動すると、前記小出し口が開かれるようになっており、
前記蓋部分が持上げリップを含み、
前記カバー部分によって覆われた前記カバー部分が前記壊れ易い構造部分に沿って破断せしめられた時に、前記持上げリップが露出するようになっている封止構造体。
【請求項２】
前記カバー部分が前記封止体本体に掛止されている請求項１に記載された封止構造体。
【請求項３】
前記蓋部分が、前記封止体本体の中心軸線を中心としてゼロ度の位置で前記封止体本体に結合され、かつ前記封止体本体の中心軸線を中心として９０度と２７０度との位置で前記封止体本体に掛止結合されており、前記カバー部分が、前記封止体の中心軸線を中心として１８０度の位置で持上げられるように構成され、前記カバー部分を除去することにより、前記持上げ片を押開け、かつ前記蓋部分をゼロ度位置での結合部を中心として旋回させ、９０度と２７０度位置での掛止を解除できるようになっている請求項１に記載された封止構造体。
【請求項４】
前記ゼロ度位置での結合部がヒンジを含む請求項３に記載された封止構造体。
【請求項５】
９０度および２７０度位置での掛止結合部が、解除可能に係合可能な掛止ビードを含む請求項３に記載された封止構造体。
【請求項６】
前記カバー部分が、前記１８０度位置の前記結合部で前記封止体に解除可能に掛止されるようになっている請求項３に記載された封止構造体。
【請求項７】
前記蓋部分が、ヒンジ式留め具位置で前記封止体本体に取付けられている請求項１に記載された封止構造体。
【請求項８】
前記蓋部分が、その側縁に沿って第１側部掛止ビードを含み、前記封止体本体がその対応側縁に沿って第２側部掛止ビードを含み、前記蓋部分と前記封止体本体との第１と第２の側部掛止ビードが互いに係合し、前記蓋部分を前記閉鎖体に掛止する請求項１に記載された封止構造体。
【請求項９】
前記カバー部分が第１前部掛止ビードを含み、かつ前記封止体本体が第２前部掛止ビードを含み、前記第１および第２の前部掛止ビードが係合することで、前記カバー部分が前記封止体本体に掛止されるようになっている請求項８に記載された閉鎖構造物。
【請求項１０】
前記封止体本体が、前記蓋部分の前記第１側部掛止ビードの外方への横方向変位を防止する側部防護壁を含む請求項２に記載された閉鎖構造物。
【請求項１１】
前記カバー部分が、直立した部分円形部と水平頂壁部とを含む請求項１に記載された封止構造体。
【請求項１２】
前記蓋部分が、第１頂壁と事実上平面的な前壁により架橋された垂設第１部分環状スカートとを含み、かつ前記カバー部分が、第２頂壁と第２部分環状スカートとを含み、前記第１と第２の部分環状スカートが、キャップの環状側壁を完成させ、前記第１と第２の頂壁が、キャップの頂壁を完成させている請求項１に記載された封止構造体。
【請求項１３】
前記蓋部分が、前記第１部分環状スカートの両側縁部に掛止構成部を含み、前記カバー部分が、前記第２部分環状スカートの前縁部に、協働掛止構成部を含む請求項１２に記載された封止構造体。
【請求項１４】
前記キャップが、頂壁と環状側壁とを含み、前記キャップの前記蓋部分と前記カバー部分とが、弱い線状部により脆弱に結合され、該弱い線状部が、頂壁を横切って延在する部分頂壁と、該部分頂壁の両端から前記環状側壁の下方へ延在する両側の部分側壁とを有する請求項１に記載された閉鎖構造物。
【請求項１５】
前記封止体本体が側溝を有し、前記蓋部分が該側溝内へ係合する側縁部を有し、該側縁部と側溝とが、該側溝内へ前記側縁部を掛止するための掛止部材を有する請求項１に記載された封止構造体。
【請求項１６】
前記カバー部分が、持上げタブと第１前部掛止部材とを含み、
前記封止体本体が第２前部掛止部材を含み、
前記第１前部掛止部材が、前記第２前部掛止部材に前記カバー部分を掛止し、  前記第１と第２の掛止部材が、前記持上げタブへ使用者が加える力によって解除可能である請求項１に記載された閉鎖構造物。
【発明の詳細な説明】
【０００１】
（発明の分野）
本発明は封止構造体に係わり、特に、小出し口を画成する封止体本体と、関連するヒンジ付き蓋とを有する封止構造体に関するものである。
本発明は、特に、いたずら防止構造部が、封止体本体および蓋と関連づけられた閉鎖構造物、それも、該いたずら防止構造部を引きちぎるか、または他の仕方で破壊しない限り、蓋を開けられない封止構造体に関するものである。
【０００２】
（発明の背景および先行技術の技術的問題点）
既に開発または提案されている種々の容器封止体の場合、蓋または小出し注ぎ口構造物を最初に開けた後、再び閉じても、開けたことが一眼で判るようになっている。
【０００３】
幾つかの種類のいたずら防止装置では、使用者による歴然とした行為、例えば、除去可能な「頸部バンド」等の付加構成部材の除去が要求される。他のいたずら防止装置では、封止体を除去するには、または別の仕方で容器を開けるには、「引きちぎり」構造部等の一体部材の除去または破断が必要である。その種の装置の幾つかの例としては、米国特許第４４８７３２４号、第５０５８７７５号、第５２０１４４０号、第５４２７２６０号、第５８７５９０７号が挙げられる。
他の種類のいたずら防止装置は、機能が、より自動的である。使用者が、例えば容器から封止体を除去して、包装を開くと、封止体と一体の構成部材が破られて復元不能となることで、原シールが破られたことが明瞭に認められる。この種の装置の幾つかの例としては、米国特許第４１９６８１８号、第４１５３１７４号、第５８７５９０６号が挙げられる。
【０００４】
前述の封止体は、設計目的を十分に果たす機能を有してはいるが、本発明人の認識により望ましいと思われるのは、一定種類の蓋または流量制御部材と関連づけて容易に製造でき、かつ初回の口開け前の、封止体の見栄えを高め得る改良型いたずら防止機能付き封止体を得ることである。また本発明人の認識により望ましいと思われるのは、該いたずら防止機能付き封止体が、容易に容器に取付け可能で、消費者に引渡された場合に、いたずら指示の用意が整った状態になっていることである。更に本発明人の認識により望ましいと思われるのは、消費者が容易にかつ説明なしで使用できる一方、魅力的な外見を備え、包装業者には包装しやすく、封止体製造業者には成形が簡単な、いたずら防止機能付き閉鎖用具を得ることである。
【０００５】
（発明の概要）
本発明により得られる封止構造体は、使用者が通常の仕方で容器を開く気になるような外見を有する。容器を開こうとすれば、しかし、第１いたずら防止部材、すなわちカバー部分が、自動的に封止構造体から除去される。これによって、封止構造体の小出しシールが開封されたことを示す表示が現われ、加えて蓋部分を開くのに便利な第２部材が得られ、その包装の使用を続けることができる。
更に、包装全体の設計上必要な場合、または使用者がそのように選択する場合には、第１いたずら防止部材の除去前または除去後に、封止構造体全体を容器から除去することができる。その場合には、第２いたずら防止部材は、自動的に閉鎖構造物から分離され、容器上に残り、それにより封止体／容器インタフェースが破られたことが明らかになる。
【０００６】
本発明により、小出し口を備えた封止体本体と、封止体本体上に配置されるように構成されたキャップとを有する封止構造体が得られる。該キャップは、蓋部分と、脆弱な構造部を介して蓋部分と結合されたカバー部分とを含む。蓋部分は、閉鎖体にヒンジ結合されている。単一のユニットである蓋部分とカバー部分とは、最初は開いたままの、成形し放しの配位から、該両部分が封止体本体上へロックされる位置へ旋回させることができる。脆弱構造部分と、封止体本体上にロックされた両部分とにより、いたずら防止構造部分が構成され、小出し口に最初に到達するには、この装具が破られたことが明示される必要がある。
脆弱構造部分は、好ましくはキャップ材料を貫通して形成された、例えば小さい破断可能な架橋ウエブによって不連続的に設けられた貫通部またはスリットで形成された弱い境界線を含む。
【０００７】
一実施態様によれば、封止体本体は、平坦な端面またはデッキと、環状の垂設側壁またはスカートとを含む。側壁上方には、環状の肩が形成されている。蓋部分は、第１部分環状頂壁と垂設第１部分環状側壁またはスカートとを含む。蓋部分のスカートは、蓋部分が封止体本体上へ閉成された時に、環状の肩に嵌合する縁部を有する。蓋部分のスカートおよび封止体本体は、蓋部分の周部の、ヒンジの両側にそれぞれ第１と第２の掛止（外れ止め）機構を備えている。
カバー部分は、第２部分環状頂壁と第２部分環状スカートとを有し、該頂壁とスカートとが、蓋部分の第１部分環状頂壁と第１部分環状スカートと共に、キャップ全体の環状頂壁および環状スカートを完成させている。カバー部分と封止体本体との間には、ヒンジと反対側の封止構造体前部に第３掛止機構が設けられている。
【０００８】
環状肩には防護壁を設けることができ、該防護壁は、蓋部分のスカート縁部を受容するための部分環状溝を形成している。誰かが主として半径方向力を加えて閉鎖体から蓋部分の縁部を分離しようとしても、これらの防護壁によって、蓋部分の掛止が外れるのが防止される。
初回に封止構造体を開くには、カバー部分を引上げ、弱い境界線を破断し、蓋部分からカバー部分を分離する。カバー部分を除去することで、蓋部分の前壁と、前壁から前方へ延びる持上げリップ（出っ張り部分）とが露出する。次いで蓋部分を開けるには、使用者は、持上げリップに上向きの力を加え２つの掛止機構を漸次分離させ、蓋部分を開ける。
本発明の封止構造体の製造者にとっての重要な利点は、該封止構造体の成形が、そのために使用する射出成形金型に特別のまたは複雑な構造部を設けることなしに達成できることである。全ての表面が、標準的な「ストレート・オープニング」金型により成形される。複雑な付帯作業等は不要である。封止構造体は費用効果よく製造できる。
【０００９】
また、本発明の封止構造体からは、包装業者や小売業者も利益が得られる。封止体の準備作業中の各部分の取扱い、続く大量処理や運送、容器への装着等の場合、封止構造体の外表面から突出した付属物や構造部がないため、流通チェーンにわたって容易かつ効率的に扱うことができる。一旦、容器に装着すれば、封止構造体は、販売時に潜在的な購買者の眼をよろこばす滑らかな外観となる。
本発明による封止構造体は、簡単で、使用者に好都合である。初回に開ける動作は使用者になじみのものであり、開ける順序は説明なしで判る。
本発明のその他の多くの利点および特徴は、本発明の以下の詳細な説明、特許請求の範囲、添付図面から明らかになるだろう。
添付図面は、本明細書の一部であり、全図面において、類似部分には類似符号を付している。
【００１０】
（詳細な説明）
本発明は、多くの異なる形式の実施形態が可能であるが、本明細書および添付図面には、本発明の実例として、若干の具体的な形式のみが開示されている。しかしながら、本発明は、本明細書に開示した具体例に限定されるものではない。本発明の範囲は、特許請求の範囲に示されている通りである。
説明を容易にするために、本発明を示す図面の大半に、小出し装置を通常の配置方向で示してある。この配置方向では、底を下に直立させて容器を保管する場合、小出し装置は容器の最上部に位置する。上、下、水平等の用語は、この配置方向として用いられている。しかし、本発明の小出し装置は、本明細書で説明する姿勢とは異なる配置方向で製造、保管、運送、使用、販売することができる。
【００１１】
本発明の小出し装置は、各種構造の従来型容器や特殊容器に適用でき、それら容器の詳細は、図示して説明してはいないが、当業者には自明であろう。本明細書で説明する容器自体は、本発明の具体例および本発明概念の一部をなしてはおらず、本発明を限定するものではない。また、新規かつ自明でない発明の特徴は、説明されている代表例としての封止構造体のみに具現化されていることも、当業者であれば理解できるだろう。
本発明の封止構造体３０の好適例が、図１〜図１６に示されている。
【００１２】
図１には、容器頸部３２に装着されるようにされた封止構造体３０が示されている。封止構造体３０は、容器内部や内容物に到達するための口その他の開口を有する容器と共に使用するようにされている。封止構造体３０は、食品、個人用ケア製品、工業用または家庭用洗剤、その他化学薬品（例えば製造、営業用または家庭用保守、建設、農業等に使用される化合物）を含む比較的低粘度または比較的高粘度の液体、粒子等を含むが、それらには限定されない多くの種類の材料を小出しするのに使用できるだろう。
封止構造体が装着される容器は、通常、単数または複数の可撓性壁部を有する圧搾可能な容器だろう。該容器を使用者が掴んで絞るか圧迫するかして容器内圧を高めることで、内容物を封止構造体３０を介して容器外へ押出す。容器壁部は、通常、十分な固有弾性率を有するので、圧搾力が除去されると、元の圧搾されない形状に復元する。この圧搾可能な壁部を有する容器は、多くの用途に好んで使用されるが、他の用途では必ずしも好まれない。例えば、幾つかの用途では、概して剛性の容器または加圧容器さえ用いるのが望ましい。
【００１３】
封止構造体３０は、キャップ３７により事実上覆われた封止体本体３６を含んでいる。封止体本体３６は、外周部がローレット切りされるかまたはリブ４２を有する環状側壁またはスカート４０と、部分環状の平坦な区域４４とを含む。キャップ３７は、事実上平坦な端壁４８と、垂設の環状スカートまたは側壁５２とを含む。キャップ３７は、また蓋部分３８とカバー部分３９とを含む。
キャップには、断続的なウエブまたはブリッジ６６によって不連続的に設けた貫通切断部、厚さを減じた材料またはノッチ、パーフォレーション、その他公知の方法のいずれかにより形成された弱い境界線６０が形成されている。この弱い境界線６０は、端壁４８を横切る頂部線分６７と、頂部線分６７の両端から下方へスカート５２内を延びる側部線分６８，６９とから成っている。この弱い境界線は、蓋部分３８とカバー部分３９とが共有している。
【００１４】
カバー部分３９は、その前側に平坦な区域４４の上端と整合する持上げタブ（つまみ）７１を備え、該平坦な区域４４は、使用者が押上げ力を加えるために、タブ７１の下側に指を差込みやすくする空間を形成している。
図２〜図１６には、封止構造体３０の別の特徴が示されている。蓋部分３８は、ヒンジ７６（図３、図５、図１２、図１３）を介して封止体本体３６に結合されている。ヒンジ７６は、好ましくはスナップ機能付きヒンジである。この種のヒンジは、米国特許第５６４２８２４号に開示されており、該特許は、ここに引用することで本明細書に取入れられるものとする。別の例では、蓋部分３８は、スナップ動作式のヒンジで結合される必要はない。その代わりに、弱い（または柔軟な）ヒンジが用いることができる。
【００１５】
図１に示すように、蓋部分３８は、部分環状の側壁またはスカート７８と、部分環状の頂壁７９とを含む。蓋部分のスカート７８は、カバー部分３９（図２）近くで外方へ向かって終わる凹状の側壁部分８２，８４（図４、図６、図１１）を含む。このことと関連して、蓋部分は、前方から後方へ向かう直線に沿った大直径Ｄ１と、凹状側壁部分８２，８４を横方向に差し渡す直線に沿った小直径Ｄ２とを有する。この直径差は、２つの凹状側壁部分８２，８４の深さｄ３（図２）に起因するものである。
図１〜図３に示すように、カバー部分３９は、部分環状の側壁またはスカート８５と、部分環状の頂壁８７とを含む。蓋部分の側壁７８とカバー部分の側壁８５とで、キャップの側壁５２が形成される（図１）。蓋部分の頂壁７９とカバー部分の頂壁８７とにより、キャップの頂壁４８（図１）が形成される。
【００１６】
封止体本体３６は、その底部側に、容器頸部３２から封止体本体を取外せば直ぐ判るように、いたずら防止機能部分９０（図３）を備えることができる。このいたずら防止機能部分は、折曲げた締付けリングまたはバンド９２（図５及び図６に示す）と、脆弱な結合部９６とを含む。
この脆弱な結合部９６は、スカート４０と下方へ突出する締付けリング９２とを一体結合している脆弱なブリッジ９７（図３、図４）を含む。締付けリング９２は、容器頸部３２にはめ込まれ、それによって最初のはめ込み時に、締付けリング内面の所定構造部分が、容器頸部外周の所定構造部分（例えば、フランジ９８（図５及び図６））と係合し、外れが防止される。容器から封止構造体を初回に外す際には、脆弱な相互結合ブリッジ９７を破断し、締付けリング９２は容器頸部に取付けられたまま、スカート４０からは目に見える具合に分離され、復元は不能である。このようないたずら防止機能付きバンドは、例えば米国特許第４１９６８１８号及び第５８７５９０６号に開示されており、該開示は、ここに引用することで本明細書に取入れるものとする。
【００１７】
いたずらで開けられないようにする付加的な封止構造体／容器結合方法により、封止体本体が容器から除去されるのを防止する設計を、封止体本体と容器の最終的な対応部分に取入れることができる。このことは、適宜に設計されたスナップ嵌め形式の完成装置、または取外し不能な使い捨てねじ締結式完成装置を使用することにより達成できる。後者の装置の例は米国特許第５，４９４，１７４号に開示されている。
注意すべき点は、上方へ突出した容器「頸部」は、図面では、特定の形状の閉鎖体３６内へ受容されているが、容器の主要部分（図示せず）の横断面形状は、容器頸部３２や封止体本体スカート４０の横断面形状と等しくても、異なっていてもよい。このことと関連して、「頸部」という用語は、もっぱら封止構造体を受容する容器部分を指すもので、容器の隣接部分、つまり容器の胴体部分よりも細い部分だけを指すものではない。例えば「頸部」という用語は、チューブ状容器の封止構造体受容部分をも含んでおり、その場合には、頸部は容器の残りの部分と同じ太さを有することになる。
【００１８】
図５、図６には、封止構造体３０の内部構造部が示されている。封止構造体３０は、容器頸部３２に係合するようにされている。封止体本体３６は、側壁４０上方にデッキ（棚状部）１００を含む。側壁４０は中空であり、概して円筒形である。封止体本体３６の側壁４０の頂部には、環状肩１０２（図５）が形成されている。閉鎖構造物３０は、またデッキ１００から上方へ延在するスパウト（注出口）１０６を含む。管状突起１０６は、小出し口１０８を画成するシール面１０７を有している。スカート４０の内側には、雌ねじ１１０が切られている。封止体本体側壁４０は、容器頸部３２の上端を受容し、ねじ係合するようにされている。容器頸部３２には雄ねじ１２０が切られている。スカート４０の雌ねじ１１０は、容器頸部の雄ねじ１２０と互いに噛み合っている。
【００１９】
あるいはまた、封止体本体の側壁４０は、別の容器結合手段を備えていてもよい。例えばスナップ嵌め用のビードまたは溝（図示せず）を、ねじ山１１０の代わりに備え、各々容器頸部の溝またはビード（図示せず）に係合するようにしてもよい。封止体本体３６は、また封止体本体３６や容器に使用する材料に応じて誘導融接、超音波融接、接着等々によって、容器に永久取付けすることもできよう。封止体本体３６は、また容器の一体部分または延長部として形成することもできるだろう。
封止体本体のスカート４０は、適当な形状であればどのような形状でもよい。容器は、具体的な形状の封止体本体３６内に受容されるように、上方へ突出する頸部その他の部分を有することができ、容器の主要部分は、容器頸部や封止体本体スカート４０とは異なる横断面形を有していてもよい。
【００２０】
キャップの側壁５２は、末端が環状の座着面１５６を形成している（図５）。キャップ３７が閉じられると、座着面１５６が、封止体本体３６に形成された環状肩１０２に触接する。
蓋部分３８は、小出し口シール部材または「管片（スパッド）」１６０（図５、図１１）を含み、該管片が、蓋の頂壁４８から延在し、蓋部分３８が開位置（図１５）から閉位置（図５）へ旋回せしめられると、小出し口シール面１０７と密閉接触するようにされている。見られるように、小出し口シール部材１６０は、小出し口１０８の形状と相補的形状を有する。
【００２１】
環状シール面１７０は、デッキ１００の下に容器頸部３２に向いて設けられている。シール面１７０は、容器頸部３２の相補的シール面１７４に対しシールする。環状シール面１７０に代わるものとして、「カニのはさみ」形環状シール（図示せず）を使用することもできよう。その場合、このシールは、封止体本体デッキ１００から下方へ突出し、容器のシール面１７４に弾性的に係合するようにされる。
封止体本体３６は、引っ込んだ側壁部分８２，８４（図６）それぞれに隣接して設けられた側部防護壁２０２，２０４（図６、図１１）を含む。防護壁２０２，２０４は、それぞれデッキ１００（図１１）の側縁２１０から間隔をおいて位置し、それぞれ引っ込んだ側壁部分８２，８４の縁部８２ａ，８４ａを密封受容するための部分環状溝２１２，２１４を画成している（図１１、図１２、図１６参照）。
【００２２】
縁部８２ａ，８４ａは、掛止（ラッチ）機構によって溝２１２，２１４内へロックされる。好ましくは、掛止機構は、縁部８２ａ，８４ａの、半径方向内方へ延びるビード８２ｂ（図１１及び図１２），８４ｂ（図１２）と、デッキ側縁２１０の、半径方向外方へ延びるビード２１０ａ（図１４），２１０ｂ（図１１、図１４）とによって形成され、該ビードが相互に掛止することで縁部８２ａ，８４ａが溝２１２，２１４内へロックされる。
蓋部分３８は、更に、引っ込んだ前壁２２０（図１１）を含み、該前壁が、頂壁７９から軸方向下方へ延在し、かつデッキ１００（図７）に接触するか、またはデッキ１００の直ぐ近くまで延びている。前壁２２０は、弱い境界線６０から半径方向に引っ込められており、それによって、図７に示すように、持上げリップ２２２が形成される。
【００２３】
カバー部分３９は、更に、前部掛止機構によりデッキ側縁２１０にスナップ嵌めされており、該前部掛止機構は、好ましくは半径方向内方へ延びる、カバー部分３９のビード２２６を含み、該ビードは、半径方向外方へ延びる、デッキ側縁２１０のビード２２８（図７〜図１０、図１７参照）と係合する。
掛止機構のビード対８２ｂ／２１０ａ，８４ｂ／２１０ｂ，２２６／２２８は、好ましくは突出ビードにより形成され、これら突出ビードが互いに乗り越えて相互掛止されるが、本発明の範囲には溝も含まれており、その場合、この溝は、一方または双方のビードに隣接して設けることができ、対応ビードを受容して、スナップ嵌めの結合度を高めることができる。更に、本発明は、別の形式のスナップ嵌め掛止機構、例えばビード／溝、ピン／孔（またはソケット）、ボ−ル／孔（またはソケット）、フック／キャッチ、その他公知の固定機構をも含むものである。
【００２４】
図７〜図１２には、カバー部分３９を除去した後の閉鎖具が示されている。カバー部分３９を除去するには、弱い境界線６０に沿ってカバー部分３９を蓋部分３８から分離するために、ウエブ６６を破断するのに十分な持上げ力または引張り力を持上げタブ７１（図１）に加えることにより、十分なせん断応力または引張り応力が加えられるようにする。カバー部分３９が除去されると、引っ込んだ前壁２２０が露出し、持上げリップ２２２も露出する。蓋部分３８は、今やリップ２２２に持上げ力を加えることで開くことができ、それによってビード８２ｂ，８４ｂがデッキのビード２１０ａ，２１０ｂから解離され、封止体本体３６上の蓋部分３８がヒンジ７６を中心として旋回せしめられる。
【００２５】
蓋部分３８とカバー部分３９とが封止体本体３６に掛止されると、キャップ３７は、四方を効果的に掛止または結合される。図２に戻ると、蓋部分３８は、（１）ゼロ度位置で、ヒンジ７６を介して封止体本体と結合され、（２）９０度と２７０度のところで、掛止ビード対８２ｂ／２１０ａ，８４ｂ／２１０ｂを介して封止体本体に掛止され、（３）１８０度位置で、前部掛止ビード２２６／２２８を介して封止体本体に掛止されており、前記全ての角度は、図２に示すように、封止構造体３０の垂直中心軸線Ａを中心として形成される。カバー部分の持上げタブ７１には、キャップ３７を封止体本体３６から持上げるための単に露出しているだけの押上げ面が形成されている。
【００２６】
カバー部分３９は、持上げタブ７１が１８０度の位置で持上げられるように構成されている。持上げタブ７１を持上げるか引張るかすることで、ビード２２６／２２８が解離され、脆弱な境界線６０の側方部分６８，６９が破断される一方、カバー部分３９が、脆弱な境界線の頂部部分６７を中心として旋回せしめられる。カバー部分３９は、頂部部分６７に沿って蓋部分３８から引裂かれるか破断されるかする。カバー部分３９が除去されることで、持上げリップ２２２が露出し、ヒンジ７６を中心として持上げリップ２２２の持上げと蓋部分３８の旋回とが可能になり、それによって、角度９０度及び２７０度位置でのビード結合が解除される。
カバー部分が除去されると、デッキ１００の三日月形部分２３０（図７）が露出する。この部分２３０には、例えば、成形印２３４の形式で蓋部分３８が開けられたことを指示する情報、または他の情報や表示が示される。
【００２７】
図１７及び１８は、別の一実施例による封止構造体３００を示している。この実施例では、別の形式の蓋部分３３８が事実上平坦な（引っ込められていない）側壁を有する。封止体本体３３６は、防護壁を備えていない。この実施例では、蓋部分のスカートが、半径方向に加わる力による側部ビードの、目に付かない解離に抗するのに十分な剛度を有するように造られている。また、この実施例では、第１実施例の封止体本体／容器頸部のいたずら防止機能部材９０（図５）は設けられていない。
【００２８】
本発明の以上の詳細な説明により、またその図面により、本発明の新規な概念または発明原理の精髄および範囲から逸脱することなく、多くの変形態様が可能である。例えば、本発明の封止構造体は、容器とのねじ結合により具体化できるが、容器に封止構造体を固定する別の技術および実施形態も考えられる。他の固定形式としては、摩擦嵌めを利用でき、該摩擦嵌めは、滑らかなねじ山なしの容器完成品と滑り嵌めまたはテレスコープ式嵌合が可能な寸法の内径を備えたスカートを有する封止構造体により容易になる。その種の例では、取付け部と封止体本体とが当接面、例えばバヨネット式の相互ロックまたは固定器具を備え、それによって、容器への封止構造体の取付けが可能になるが、また例えば封止体本体と容器の相対回転により、容器に対する封止体本体の上方移動を制限するように構成することができる。
【図面の簡単な説明】
【図１】
容器頸部に取付けた本発明封止構造体の斜視図（容器頸部は一部のみを示す）。
【図２】
図１の封止構造体の平面図。
【図３】
図１の封止構造体の右側面図。
【図４】
図１の封止構造体の前面図。
【図５】
図５の概して５−５線に沿って截断した断面図で、容器頸部に取付けた閉鎖構造物を示す図。
【図６】
概ね、図２の６−６線に沿って截断した断面図。
【図７】
図１の封止構造体の、いたずら防止構造部を除去して示す斜視図。
【図８】
図７の封止構造体の平面図。
【図９】
図８の封止構造体の右側面図。
【図１０】
図８の封止構造体の前面図。
【図１１】
図７の封止構造体の斜視図で、蓋部分を開けた状態で示す図。
【図１２】
図１１の封止構造体の平面図。
【図１３】
図１１の封止構造体の右側面図。
【図１４】
図１１の封止構造体の前面図。
【図１５】
概ね、図１２の１５−１５線に沿って截断した断面図。
【図１６】
概ね、図１２の１６−１６線に沿って截断した断面図。
【図１７】
封止構造体の別の具体例の上から見た斜視図。
【図１８】
図１７の別の具体例を下から見た斜視図。
【国際公開パンフレット】
2004518590.tif 000003
2004518590.tif 000004
2004518590.tif 000005
2004518590.tif 000006
2004518590.tif 000007
2004518590.tif 000008
2004518590.tif 000009
2004518590.tif 000010
2004518590.tif 000011
2004518590.tif 000012
2004518590.tif 000013
2004518590.tif 000014
2004518590.tif 000015
2004518590.tif 000016
2004518590.tif 000017
2004518590.tif 000018
2004518590.tif 000019
2004518590.tif 000020
2004518590.tif 000021
2004518590.tif 000022
2004518590.tif 000023
2004518590.tif 000024
2004518590.tif 000025
2004518590.tif 000026
2004518590.tif 000027
2004518590.tif 000028
2004518590.tif 000029
【国際調査報告】
2004518590.tif 000030
2004518590.tif 000031